(57)【要約】【課題】本願明細書に開示される技術は、絶縁電線の損傷に対する耐久性を精度よく把握するための技術に関するものである。【解決手段】本願明細書に開示される技術に関する絶縁電線は、芯線１２と、芯線１２を被覆する絶縁被覆１４と、充填材１６とを備えるものである。充填材１６は、絶縁被覆１４の色に対して識別可能な色である。そして、充填材１６は、絶縁被覆１４の内側において芯線１２の周囲に充填される。そして、充填材１６は、流動性を有する。【選択図】図２
2018063804.tif 000002
【特許請求の範囲】
【請求項１】
芯線と、
前記芯線を被覆する絶縁被覆と、
前記絶縁被覆の色に対して識別可能な色であり、かつ、前記絶縁被覆の内側において前記芯線の周囲に充填される、流動性を有する充填材とを備える、
絶縁電線。
【請求項２】
前記充填材は、絶縁性材料である、
請求項１に記載の絶縁電線。
【請求項３】
前記充填材は、液体またはゲル状の材料を含む、
請求項１または請求項２に記載の絶縁電線。
【請求項４】
前記絶縁電線は、さらに、
前記絶縁電線の端部に取り付けられるキャップ部材を備える、
請求項１から請求項３のうちのいずれか１項に記載の絶縁電線。
【発明の詳細な説明】
【技術分野】
【０００１】
本願明細書に開示される技術は、絶縁電線の損傷に関するものである。
【背景技術】
【０００２】
車両などに配線される絶縁電線は、外力が加わることによって絶縁被覆が損傷する場合がある。絶縁被覆が損傷すると、芯線の露出などにより不具合が生じ得る。そのため、絶縁電線の損傷に対する耐久性について、事前に把握しておくことが必要である。
【０００３】
たとえば、特許文献１（特開平９−１６１５５５号公報）に開示される技術では、絶縁被覆を覆って形成された損傷検知層を用いて、絶縁被覆が損傷した箇所を検知している。
【先行技術文献】
【特許文献】
【０００４】
【特許文献１】特開平９−１６１５５５号公報
【発明の概要】
【発明が解決しようとする課題】
【０００５】
たとえば、特許文献１に開示される技術では、絶縁被覆を覆って損傷検知層が形成され、さらに、損傷検知層を覆って保護層が形成される。そして、保護層が損傷して損傷検知層が露出した場合に、損傷検知層が露出した箇所を、絶縁被覆が損傷した箇所として検知する。
【０００６】
しかしながら、特許文献１に開示される技術では、絶縁被覆を損傷検知層、さらには、保護層で覆った状態で、絶縁電線における損傷が生じやすい箇所の検知を行う。そのため、実際に用いられる絶縁電線、すなわち、損傷検知層および保護層に覆われていない絶縁電線における場合とは、損傷に対する耐久性が異なる。したがって、絶縁電線の損傷に対する耐久性を事前に把握する手段としては十分ではなかった。
【０００７】
本願明細書に開示される技術は、以上に記載されたような問題を解決するためになされたものであり、絶縁電線の損傷に対する耐久性を精度よく把握するための技術に関するものである。
【課題を解決するための手段】
【０００８】
本願明細書に開示される技術の第１の態様は、芯線と、前記芯線を被覆する絶縁被覆と、前記絶縁被覆の色に対して識別可能な色であり、かつ、前記絶縁被覆の内側において前記芯線の周囲に充填される、流動性を有する充填材とを備える。
【０００９】
また、本願明細書に開示される技術の第２の態様は、第１の態様に関連し、前記充填材は、絶縁性材料である。
【００１０】
また、本願明細書に開示される技術の第３の態様は、第１の態様または第２の態様に関連し、前記充填材は、液体またはゲル状の材料を含む。
【００１１】
また、本願明細書に開示される技術の第４の態様は、第１の態様から第３の態様のうちのいずれか１つに関連し、前記絶縁電線は、さらに、前記絶縁電線の端部に取り付けられるキャップ部材を備える。
【発明の効果】
【００１２】
本願明細書に開示される技術の第１の態様によれば、絶縁被覆に生じた損傷箇所を介して絶縁被覆の内側から染み出した充填材を検知することによって、絶縁被覆の損傷箇所を確実に把握することができる。また、実際に用いられる絶縁電線と、絶縁被覆の内側において充填材が充填された絶縁電線とは、損傷に対する耐久性が大きくは異ならない。そのため、絶縁被覆の内側において充填材が充填された絶縁電線を用いて絶縁被覆の損傷箇所を把握することによって、実際に用いられる絶縁電線の損傷に対する耐久性を事前に精度よく把握することができる。
【００１３】
特に、第２の態様によれば、絶縁電線における芯線の導電性に妨げずに、充填材を充填することができる。
【００１４】
特に、第３の態様によれば、充填材が絶縁被覆の損傷箇所から適度に染み出すことによって、損傷箇所の位置、および、損傷箇所の数を確実に把握することができる。
【００１５】
特に、第４の態様によれば、充填材の粘度が所定の値よりも低い場合であっても、絶縁電線の端部から充填材が流出することを抑制することができる。そのため、充填材が損傷箇所の位置以外の位置から流出してしまうことによって、損傷箇所の把握を妨げることを抑制することができる。
【００１６】
本願明細書に開示される技術に関する目的と、特徴と、局面と、利点とは、以下に示される詳細な説明と添付図面とによって、さらに明白となる。
【図面の簡単な説明】
【００１７】
【図１】実施の形態に関する、絶縁電線を実現するための構成を概略的に例示する図である。
【図２】図１に例示された絶縁電線の断面図である。
【図３】本実施の形態に関する、絶縁電線の製造方法を説明するための図である。
【図４】本実施の形態に関する、絶縁電線の製造方法を説明するための図である。
【図５】本実施の形態に関する、キャップ部材（蓋部材）の形態を例示する図である。
【図６】本実施の形態に関する、キャップ部材（絶縁テープ）の形態を例示する図である。
【図７】本実施の形態に関する、絶縁電線の作用を説明するための図である。
【図８】図７のＡ−Ａ断面図である。
【発明を実施するための形態】
【００１８】
以下、添付される図面を参照しながら実施の形態について説明する。
【００１９】
なお、図面は概略的に示されるものであり、説明の便宜のため、適宜、構成の省略、または、構成の簡略化がなされるものである。また、異なる図面にそれぞれ示される構成などの大きさおよび位置の相互関係は、必ずしも正確に記載されるものではなく、適宜変更され得るものである。
【００２０】
また、以下に示される説明では、同様の構成要素には同じ符号を付して図示し、それらの名称と機能とについても同様のものとする。したがって、それらについての詳細な説明を、重複を避けるために省略する場合がある。
【００２１】
＜実施の形態＞
以下、本実施の形態に関する絶縁電線について説明する。
【００２２】
＜絶縁電線の構成について＞
図１は、本実施の形態に関する絶縁電線を実現するための構成を概略的に例示する図である。
【００２３】
図１に例示されるように、絶縁電線は、芯線１２と、芯線１２を被覆する絶縁被覆１４と、絶縁被覆１４の内側において芯線１２の周囲に充填される充填材１６とを備える。
【００２４】
芯線１２は、銅またはアルミニウムなどの金属を主成分とする線材である。芯線１２は、図１に例示されるように複数本が束ねられて絶縁被覆１４に覆われていてもよいし、１本の芯線１２が絶縁被覆１４に覆われていてもよい。
【００２５】
絶縁被覆１４は、たとえば、ポリエチレン、塩化ビニルまたはポリアミド系ナイロンなどを主成分とする合成樹脂の部材である。
【００２６】
充填材１６は、絶縁被覆１４の色に対して識別可能な色の材料である。充填材１６は、たとえば、絶縁被覆１４とは異なる色相、彩度、または、明度であることによって、絶縁被覆１４とは識別可能である。充填材１６は、たとえば、油性塗料が、電気絶縁油（たとえば、シリコーンオイル）などの溶媒に溶かされた絶縁性材料である。充填材１６は、流動性を有する。流動性を有する充填材１６としては、たとえば、液体である場合およびゲル状である場合が含まれる。なお、シリコーンオイルは、高温下で酸またはアルカリが微量でも混入すると、粘度が増加し、ゲル化し得る。
【００２７】
ここで、充填材１６は、紫外線が照射されることによって蛍光を発する材料であってもよい。そのような材料であれば、後述するように、充填材１６が損傷箇所２１を介して染み出す場合に、視認しやすくなる。
【００２８】
図２は、図１に例示された絶縁電線の断面図である。図２に例示されるように、充填材１６は、絶縁被覆１４の内側において芯線１２の周囲に充填される。具体的には、充填材１６は、芯線１２同士の間、および、芯線１２と絶縁被覆１４の内壁との間に充填される。
【００２９】
＜絶縁電線の製造方法について＞
図３および図４は、本実施の形態に関する絶縁電線の製造方法を説明するための模式図である。
【００３０】
本実施の形態に関する絶縁電線を製造する場合、まず、芯線１２が絶縁被覆１４に覆われた状態の絶縁電線を用意する。当該絶縁電線には、充填材１６は未だ充填されていない。
【００３１】
次に、図３に例示されるように、上記の絶縁電線の一方の端部を、あらかじめ容器１８に入れられた充填材１６に浸す。ここで、絶縁電線の一方の端部は、その断面において芯線１２が露出しているものとする。
【００３２】
この状態で、絶縁電線の他方の端部から空気を吸引することによって、充填材１６を、絶縁被覆１４の内側における芯線１２の周囲に充填させることができる。具体的には、充填材１６を、芯線１２同士の間、および、芯線１２と絶縁被覆１４の内壁との間に充填させることができる。
【００３３】
なお、絶縁電線の他方の端部からの空気の吸引は、たとえば、絶縁電線の他方の端部に接続された真空ポンプなどを動作させることによって実現する。
【００３４】
また、芯線１２同士の微少な隙間、および、芯線１２と絶縁被覆１４の内壁との微少な隙間に液体が入り込む毛細管現象によって、充填材１６を、絶縁被覆１４の内側における芯線１２の周囲に充填させることも可能である。
【００３５】
上記の工程の結果、図４に例示されるように、絶縁被覆１４の内側における芯線１２の周囲に、充填材１６が充填される。
【００３６】
ここで、充填材１６の粘度は低い方がよいが、充填材１６の粘度が所定の値よりも低い場合には、絶縁電線の端部から充填材１６が流出することを抑制するために絶縁電線の端部にキャップ部材が取り付けられてもよい。
【００３７】
図５および図６は、キャップ部材の形態を例示する図である。図５に例示されるように、キャップ部材２０は、たとえば、絶縁電線の端部に被せられたゴム製の蓋部材である。また、図６に例示されるように、キャップ部材２０Ａは、たとえば、絶縁電線の端部に巻き付けられた絶縁テープである。ここで、図６に例示されるように、絶縁電線の端部に端子が接続されている場合には、端子と絶縁電線との接続部分、たとえば、圧着部分に、キャップ部材が取り付けられる。
【００３８】
このようなキャップ部材が取り付けられることによって、絶縁被覆１４に損傷が生じた箇所以外の箇所において、充填材１６が流出してしまうことを抑制することができる。
【００３９】
＜絶縁電線の作用について＞
図７は、本実施の形態に関する絶縁電線の作用を説明するための図である。図７に例示されるように、絶縁被覆１４に絶縁被覆１４の内側に達する損傷が生じた場合、損傷箇所２１を介して絶縁被覆１４の内側から充填材１６が染み出す。ここで、充填材１６が染み出す態様としては、損傷箇所２１を介して絶縁被覆１４の外側に流出する場合に加えて、損傷箇所２１の内側に充填材１６が浸食することによって、損傷箇所２１の周辺が変色する場合を含む。
【００４０】
図８は、図７のＡ−Ａ断面図である。図８に例示されるように、絶縁被覆１４に絶縁被覆１４の内側に達する損傷が生じた場合、絶縁被覆１４の内側に充填されていた充填材１６は、損傷箇所２１を介して絶縁被覆１４の内側から絶縁被覆１４の外側へ流出する。
【００４１】
絶縁被覆１４の外側に流出している充填材１６を、たとえば、目視などによって検知することによって、絶縁被覆１４の損傷箇所２１の位置、および、損傷箇所２１の数を確実に把握することができる。また、本実施の形態に関する絶縁電線は絶縁被覆１４を覆う他の層構造などを備えておらず、実際に用いられる絶縁電線と、本実施の形態に関する絶縁電線とは、損傷に対する耐久性が大きくは異ならない。そのため、本実施の形態に関する絶縁電線を用いて、絶縁被覆１４の損傷箇所２１を把握することによって、実際に用いられる絶縁電線の損傷に対する耐久性を、事前に精度よく把握することができる。
【００４２】
＜以上に記載された実施の形態によって生じる効果について＞
次に、以上に記載された実施の形態によって生じる効果を例示する。なお、以下の説明においては、以上に記載された実施の形態に例示された具体的な構成に基づいて当該効果が記載されるが、同様の効果が生じる範囲で、本願明細書に例示される他の具体的な構成と置き換えられてもよい。
【００４３】
以上に記載された実施の形態によれば、絶縁電線は、芯線１２と、芯線１２を被覆する絶縁被覆１４と、絶縁被覆１４の内側において芯線１２の周囲に充填される充填材１６とを備える。充填材１６は、絶縁被覆１４の色に対して識別可能な色であり、かつ、流動性を有する。
【００４４】
このような構成によれば、絶縁被覆１４に生じた損傷箇所２１を介して絶縁被覆１４の内側から染み出した充填材１６を検知することによって、絶縁被覆１４の損傷箇所２１を確実に把握することができる。また、実際に用いられる絶縁電線と、絶縁被覆１４の内側において充填材１６が充填された絶縁電線とは、損傷に対する耐久性が大きくは異ならない。そのため、絶縁被覆１４の内側において充填材１６が充填された絶縁電線を用いて絶縁被覆１４の損傷箇所２１を把握することによって、実際に用いられる絶縁電線の損傷に対する耐久性を事前に精度よく把握することができる。
【００４５】
また、実際に用いられる絶縁電線に対して、絶縁被覆１４の内側に充填材１６を注入することによって容易に製造することができるため、製造のための費用を低く抑えることができる。
【００４６】
なお、これらの構成以外の本願明細書に例示される他の構成については適宜省略することができる。すなわち、少なくともこれらの構成を備えていれば、以上に記載された効果を生じさせることができる。
【００４７】
しかしながら、本願明細書に例示される他の構成のうちの少なくとも１つを以上に記載された構成に適宜追加した場合、すなわち、以上に記載された構成としては記載されなかった本願明細書に例示される他の構成を以上に記載された構成に追加した場合でも、同様に以上に記載された効果を生じさせることができる。
【００４８】
また、以上に記載された実施の形態によれば、充填材１６は、絶縁性材料である。このような構成によれば、絶縁電線における芯線１２の導電性に妨げずに、充填材１６を充填することができる。
【００４９】
また、以上に記載された実施の形態によれば、充填材１６は、液体またはゲル状の材料を含む。このような構成によれば、充填材１６が絶縁被覆１４の損傷箇所２１から適度に染み出すことによって、損傷箇所２１の位置、および、損傷箇所２１の数を確実に把握することができる。
【００５０】
また、以上に記載された実施の形態によれば、絶縁電線は、さらに、絶縁電線の端部に取り付けられるキャップ部材２０またはキャップ部材２０Ａを備える。このような構成によれば、充填材１６の粘度が所定の値よりも低い場合であっても、絶縁電線の端部から充填材１６が流出することを抑制することができる。そのため、充填材１６が損傷箇所２１の位置以外の位置から流出してしまうことによって、損傷箇所２１の把握を妨げることを抑制することができる。
【００５１】
＜以上に記載された実施の形態における変形例について＞
以上に記載された実施の形態では、それぞれの構成要素の材質、材料、寸法、形状、相対的配置関係または実施の条件などについても記載する場合があるが、これらはすべての局面において例示であって、本願明細書に記載されたものに限られることはないものとする。
【００５２】
したがって、例示されていない無数の変形例、および、均等物が、本願明細書に開示される技術の範囲内において想定される。たとえば、少なくとも１つの構成要素を変形する場合、追加する場合または省略する場合が含まれるものとする。
【００５３】
また、矛盾が生じない限り、以上に記載された実施の形態において「１つ」備えられるものとして記載された構成要素は、「１つ以上」備えられていてもよいものとする。
【００５４】
さらに、以上に記載された実施の形態におけるそれぞれの構成要素は概念的な単位であって、本願明細書に開示される技術の範囲内には、１つの構成要素が複数の構造物から成る場合と、１つの構成要素がある構造物の一部に対応する場合と、さらには、複数の構成要素が１つの構造物に備えられる場合とを含むものとする。
【００５５】
また、以上に記載された実施の形態におけるそれぞれの構成要素には、同一の機能を発揮する限り、他の構造または形状を有する構造物が含まれるものとする。
【００５６】
また、本願明細書における説明は、本技術に関するすべての目的のために参照され、いずれも、従来技術であると認めるものではない。
【００５７】
また、以上に記載された実施の形態において、特に指定されずに材料名などが記載された場合は、矛盾が生じない限り、当該材料に他の添加物が含まれた、たとえば、合金などが含まれるものとする。
【符号の説明】
【００５８】
１２  芯線
１４  絶縁被覆
１６  充填材
１８  容器
２０，２０Ａ  キャップ部材
２１  損傷箇所
【図１】
2018063804.tif 000003
【図２】
2018063804.tif 000004
【図３】
2018063804.tif 000005
【図４】
2018063804.tif 000006
【図５】
2018063804.tif 000007
【図６】
2018063804.tif 000008
【図７】
2018063804.tif 000009
【図８】
2018063804.tif 000010